(57)【特許請求の範囲】
【請求項１】
支持面上に位置される下面と、この下面とは垂直な厚さ方向に延びた透孔とを有する外ソールと、
足が乗せられる内ソールと、
これら外ソールと内ソールと間に配置され、内ソールよりも厚く弾性的な中間ソールと、
少なくとも１つの押圧部材とを具備する履き物のソールにおいて、
前記押圧部材は、ソールの厚さ方向に延び、ストレスがかけられていない状態では、所定の長さだけ前記外ソールの下面から下方に突出した下端部と、前記中間ソールの下面に形成された凹所内に移動可能に挿入された上端部とを有し、
足が乗せられたソールが支持面を押圧したときに、前記押圧部材は、支持面により上方に移動されて、上端部により、中間ソールを部分的に押圧して、内ソールと共に上方に突出させて、中間ソールの弾性力により、足を刺激することを特徴とするソール。
【請求項２】
複数の押圧部材を具備することを特徴とする請求項１のソール。
【請求項３】
前記外ソールは、弾性材で形成され、また、前記押圧部材は、押圧部材と外ソールとに一体的に形成された弾性のベローにより外ソールに接続されていることを特徴とする請求項１もしくは２のソール。
【請求項４】
前記外ソールは、弾性材で形成され、また、ソールは、前記外ソールと前記中間ソールとの間に位置したシートとを更に具備し、このシートは、前記押圧部材に接続されていることを特徴とする請求項１ないし３のいずれか１のソール。
【請求項５】
前記シートは、前記押圧部材と一体的にモールド成型されたシートであることを特徴とする請求項４のソール。
【請求項６】
外ソールは、レザーで形成され、また、前記シートは、弾性材で形成されていることを特徴とする請求項４もしくは５のソール。
【請求項７】
前記押圧部材は、複数であり、外ソールと中間ソールとの間に挟まれた1枚のシートとモールド成型により形成されていることを特徴とする請求項１のソール。
【請求項８】
前記中間ソールに形成された前記凹所は、上方に湾曲した底面を有し、また、前記押圧部材の上端部は、上方に湾曲した上端面を有することを特徴とする請求項１ないし７のいずれか１のソール。
【発明の詳細な説明】
技術分野
本発明は、押圧により足のソールの神経中枢の選択的な刺激のための部材を備えた治療用履き物のためのソールに関する。
従来の技術
種々のスポーツ活動（スキー、フットボール、テニス、種々の特別な種類のランニング、ロッククライミング等）の特殊な要求特性を特に満たすように意図された特別なスポーツ用の履き物が、知られている。
また、一般的に、足並びに下肢の欠陥や欠陥のあるウオーキングを矯正するように成形された整形外科上の履き物が知られている。
さらに、足を保護し、また、使用に際して気軽さと支持との組み合わせで、支持地面の粗さや不均一性に関係なく足底への負荷の適当な分布を可能にするのと同様に、適切に形成された履き物は、治療の効果、循環刺激、改良された筋肉状態、並びに、可動化された硬直関節と共に、有用なマッサージ機能を果たす、ことが知られている。
さらに、刺激面の場所、その大きさ、並びに、刺激の形態に従って、より大きいかより小さい長く続く血管運動の反応で取り扱われる領域から所定の距離での神経のリフレックスにより、操作され得るような間接的な効果を有することが知られている。
一般的に、手もしくは適当な器具によりなされるマッサージは、摩擦、繰り返しの衝撃、按摩、振動、並びに、針治療もしくは中国式マッサージとして知られている規則正しい部分的な刺しのような種々のストレスを発生することが知られている。
種々の形態のマッサージ並びにその治療のための活用の主で効果的並びに全体的な説明のために、参照が、“ＭＡＳＳＡＧＧＩＯ”（ＭＡＳＳＡＧＥ）ｏｎ  ｐｐ．１７０，１７３，  ｖｏｌ．  III ｏｆ  ｔｈｅ  Ｅｎｃｉｃｌｏｐｅｄｉａ  ｍｅｄｉａ  ｐｅｒ  ｔｕｔｔｉ（Ｍｅｄｉｃａｌ  Ｅｎｃｙｃｌｏｐａｅｄｉａ  ｆｏｒ  ａｌｌ）−  Ｉｓｔｉｔｕｔｏ  Ｇｅｏｇｒａｆｉｃｏ  Ｄｅ  Ａｇｏｓｔｉｎｉ，  １９６９によりなされ得る。
効果的にするために、適当なプログラムに従って所定時間毎に繰り返さなければならない種々のマッサージ技術の履行は、熟練の医師のサポートと特別な能力とが必要である。
かくして、履行は、高価的で要求的であり、価格と要求される特別な遂行との両者のためにために、多くの民衆に容易に受け入れられることはできない。
発明の説明
本発明は、上記問題を解決し、安全に使用でき、リーゾナブルな価格で、特別な制約がなく、使用者の通常の活動に受け入れられる治療用の道具を提供する。この道具は、選択的に繰り返し付与される押圧刺激をもたらし、生体の他の部分に治療効果を与えるように足底の所定の神経中枢への衝撃マッサージ技術と匹敵し得る履き物により構成されている。前記治療効果は、足底の支持表面上の刺激部材の突出程度と、形状と、位置とにより決定される。また、前記刺激部材は、履き物のソール内に収容され、内ソールを介して足底の選定された領域に押圧力を与えるように、履き物の面に対して垂直に移動可能である。
図面の説明
本発明の特徴と効果とは、以下の添付図面を参照した、好ましい実施の形態並びにその変形例の以下の説明から明らかになるであろう。
図１は、左足底と、人体の所定の器官の機能を活動するソールの刺激領域の配置とを性質的に示す。
図２は、本発明に係る治療用履き物のためのソールの第１の実施の形態を示す図１のＩ−Ｉ線に沿って切断した垂直断面図である。
図３は、本発明に係る治療用履き物のためのソールの第２の実施の形態を示す図１のＩ−Ｉ線に沿って切断した垂直断面図である。
図４は、本発明に係る治療用履き物のためのソールの第３の実施の形態を示す図１のＩ−Ｉ線に沿って切断した垂直断面図である。
本発明を果すベストモード
左足底１を示す図１を参照して、履き物のインソール上もしくは地面上の足により与えられる押圧は、足底の面の２つの領域、即ち、中足骨の前端並びに指骨に対応した前領域２と、後ろ領域３、即ち、ヒールと、に実質的に分布されていることは知られている。
これら領域に、規則的に反復される押圧による刺激により種々の器官でリフレックスが生じ、活性と効能を刺激する神経中枢が位置されている。
例えば、領域４は、循環系を活性化させ、頸椎の可動性に有効である押圧刺激点に対応している。
同様に、領域５，６，７，８，９は、視覚、聴覚、肝臓、胃、肺の機能に夫々有用な刺激点である。
同様に、ヒールにおいて、領域１０，１１は、足並びに脚内の関節筋肉の活性化とこれに関連した筋肉の状態とに有用な特定の刺激点である。物理的治療のマッサージを必要としないでこの機械的な刺激を与えるために、本発明は、治療の機能を履き物に与えるように上に容易に一体的にされ得、また、身体の重量がかけられる都度、例えば、各ステップの都度、所定の領域に押圧刺激を与える、履き物のためのソールを提供する。
ソールに与えられる力の変化の程度に従って、与えられた押圧は衝撃の性質とみなされる。
図２は、選択された押圧の効果と領域４への衝撃とを達成する、本発明に係る治療用履き物のためのソールの第１の実施の形態を示す図１のＩ−Ｉ線に沿って切断した垂直断面図である。
例えばゴムによりモールド成型により形成されたソール１２は、縫製並びに／もしくは接着により上面１４に接続並びに留めるために、本体１３により縁取られた外ソールを構成している。この外ソールと一体的にゴムにより形成された弾性的なベロー１６により、この外ソールにゴム押圧部材１５が一体的に形成並びに接続されている。
押圧されていない状態で、押圧部材１５の下端部は、適当な長さ、例えば、１〜２ｍｍだけ、外ソールの面から下方に突出しており、また、この押圧部材１５の上端部は、後述するように、高弾性率の中間ソール１７に支持されている。この中間ソールは、例えば、シリコーンゴムにより形成され、本体内に収容され、また、ソール１２と薄く平坦な内ソール１８との間に介在されている。この内ソールは、足のための心地良いベッドを提供するように、一体となって上に接続されている。
押圧部材１５が正接方向のストレスの存在で正確に平坦に位置されることを確実にするために、押圧部材１５は、前記内ソールよりも厚い中間ソール１７の下面に形成された突出ボス２０により囲まれた凹所１９の中に上端部が挿入されている。この上端部は、図２から明らかなように、上方に湾曲した上端面を有し、また、前記凹所１９は、上方に湾曲した底面を有している。前記突出ボス２０は、押圧部材１５が挿入された、外ソールの透孔の上部に入っている。
前記ソール１２と中間ソール１７とは、履き物の内側のための２重の防水保護を、ベロー１６と共に形成するように接着剤により効果的に結合され得る。
ソールが、内ソールに付与された重量により支持表面に押圧されると、中間ソールが部分的に押圧され、破線２１で示すように、足と接触している内ソール１８の面に突出部が形成される。
この突出部が、足底に部分的な押圧を与える。
明らかに、ベローが占めるスペースと対応した２６個のような複数の押圧部材が、足底の複数の領域の押圧刺激を組をなしてもたらし、また、種々の器官に治療効果を、もしくは、相乗作用の効果を達成するように、異なる幅の断面としても良い。
周縁の本体部分によって、図２に示すソールは、スポーツ用の履き物に特に適しているが多くの変更が可能である。
例えば、図３に示すように、同様の機能を有するソールは、射出成型されて膨張されたポリウレタン、もしく、他の適当な既知の材料により形成された外ソール２２との組み合わせとして製造され得る。このソール２２は、幾つかの押圧部材を含み得る１枚のゴムシート２５との一体的なモールド成型により形成された押圧部材２４を収容するための少くとも１つの、好ましくは、複数の穴２３を有する。
前記ゴムシートは、外ソール２２の上、即ち、内側に接着され、効果的には、外ソールの周縁の本体部分２６内に収容される。
代わって、夫々１個の（もしくは複数の）押圧部材を備えた外ソール２２並びにシート２５は、接着ではなく、２重のモールド成型操作により接続され得る。即ち、ゴムシートが最初に形成され、このシートが外ソールをモールド成型する続く操作のためのインサートとして使用される。
使用される材料の特性と、２度のモールド成型操作に必要な温度とに関して、この方法は、外ソールの事前の形成と、押圧部材を備えたシートの続く形成とによる逆の順序でもなされ得る。
いかなる場合でも、このようにして形成されたソールにおいては、１個もしくは複数個の押圧部材のディメンションは、ストレスが存在していないときに、所定の長さだけ外ソールの表面から下方に突出するようにすることが有効である。
発泡ゴムで形成された柔軟性パット２７が、高弾性のスペーサを形成するようにゴムシート２５上に重ねられている。外方から矢印２８で示される方向から付勢されたときに、前記スペーサ中に押圧部材２４が沈み得る。
効果的には、図示された押圧部材２４は、、ことが休止している状態でパット中に厚さ方向に突出可能で、このパットを予め押圧して、押圧部材の内端部と、パット上に重ねられかつ上部３０に接続された履き物の柔軟な内ソール２９との厚さ方向の離れた間隔を減じることができる。
代わって、パッドは、押圧部材の内端部を中に収容するための凹所と共に予めモールド成型され得る。
図４に示すように、“町”用の履き物であり、スポーツ用の履き物のためには必要ではないソールは、通常の活動の間であり、治療用効果の達成に特に意図された活動の間だけではない履き物として製造され得る。
例えば、図４において、このソールは、シート３２に射出モールド成型もしくは接着により接続されたレザーの外ソール３１により構成されている。このシート３２は、可塑化された（ｐｌａｓｔｉｃｉｚｅｄ）ＰＶＣもしくは柔軟性の高い同様のプラスチック材（ＴＲ）のような弾性材により、１個もしくは複数個の一体的な押圧部材３３と共に、形成されている。押圧部材３３は、シート３２と一体的に形成されたベロー状の成型体３４によりシート３２に接続されている。
この実施の形態における前記押圧部材３３もまた、ストレスがかけられていない状態では、適当な長さだけ外ソールの面から下方に突出している。
このために、外ソールは、押圧部材とベロー状の成型体３４の少なくとも一部とを収容するための適当な孔を有する。
前記押圧部材３３は、ストレスを受けたときに、弾性パッド３５と柔らかい内ソール３６とを介して、使用者の足底の所定の領域を上端部で押圧するように、ソールの全厚さに渡って延びている。
このように形成されたソールは、治療用靴を形成するように、通常の方法、好ましくは、縫製で、上部に接続され得る。
また、領域４ないし１１は、使用者が履き物に設けられたテーブル（図示せず）により治療効果を認識できるように、図１に示すような特定の領域を表示するような例えば数字指標のプリント３７を備え得ることが認識されよう。
説明として、テーブルは、例えば、参照番号１により示された領域４に対しては循環系の活性化と頸椎の可動性の刺激であり、また、参照番号６により示された領域９に対しては、肺の活性化の刺激であるような、領域の数字を、そのそばに刺激される器官の表示と共に与え得る。
【図１】
0004101294.tif 000002
【図２】
0004101294.tif 000003
【図３】
0004101294.tif 000004
【図４】
0004101294.tif 000005